(57)【特許請求の範囲】
【請求項１】
他の装置との間で、フレーム化したデータを通信する通信装置であって、
前記他の装置から所定の送信周期で送信されるデータを受信する受信部と、
前記他の装置との通信における通信品質を取得する取得部と、
前記通信品質に応じて、前記他の装置との通信に用いる伝送路における障害の発生を検出するための検出期間を設定する設定部と、
前記受信部で受信するデータの受信間隔が前記検出期間を上回った場合、前記伝送路における障害の発生を検出する検出部とを具備しており、
前記設定部は、前記通信品質が所定品質よりも良好である場合に、前記検出期間として第１検出期間を設定し、前記通信品質が所定品質よりも劣悪である場合に、前記検出期間として第２検出期間を設定し、
前記第２検出期間は、前記第１検出期間よりも長いことを特徴とする通信装置。
【請求項２】
前記通信品質は、正常に受信したデータと、正常に受信しなかったデータとの割合を示すフレームエラーレートであり、
前記設定部は、前記フレームエラーレートが所定閾値よりも低い場合に、前記検出期間として前記第１検出期間を設定し、前記フレームエラーレートが所定閾値以上である場合に、前記検出期間として前記第２検出期間を設定することを特徴とする請求項１に記載の通信装置。
【請求項３】
移動局と、当該移動局と無線通信する複数の基地局と、当該複数の基地局と通信する無線制御装置とを具備し、前記移動局と前記無線制御装置とが、前記複数の基地局を介して、フレーム化した同様のデータを通信する通信システムであって、
前記複数の基地局のそれぞれは、前記無線制御装置へ、前記移動局から受信したデータを、所定の送信周期で送信する送信部を具備し、
前記無線制御装置は、
前記複数の基地局のそれぞれから送信されたデータを受信する受信部と、
前記複数の基地局のそれぞれとの通信における通信品質を取得する取得部と、
前記通信品質に応じて、前記複数の基地局のそれぞれとの通信に用いる伝送路における障害の発生を検出するための検出期間を、前記伝送路毎に設定する設定部と、
前記受信部で受信するデータの受信間隔が前記検出期間を上回った場合、前記伝送路における障害の発生を検出する検出部と、
前記検出部によって障害の発生が検出された伝送路を用いる通信を停止する通信処理部とを具備しており、
前記設定部は、前記通信品質が所定品質よりも良好である場合に、前記検出期間として第１検出期間を設定し、前記通信品質が所定品質よりも劣悪である場合に、前記検出期間として第２検出期間を設定し、
前記第２検出期間は、前記第１検出期間よりも長いことを特徴とする通信システム。
【請求項４】
前記送信部は、送信するデータがない場合、擬似データをフレーム化して送信することを特徴とする請求項３に記載の通信システム。
【請求項５】
他の装置との間で、フレーム化したデータを通信する通信装置における通信方法であって、
前記他の装置から所定の送信周期で送信されたデータを受信するステップＡと、
前記他の装置との通信における通信品質を取得するステップＢと、
前記通信品質に応じて、前記他の装置との通信に用いる伝送路における障害の発生を検出するための検出期間を設定するステップＣと
前記ステップＡで受信するデータの受信間隔が前記検出期間を上回った場合、前記伝送路における障害の発生を検出するステップＤとを具備しており、
前記ステップＣでは、前記通信品質が所定品質よりも良好である場合に、前記検出期間として第１検出期間を設定し、前記通信品質が所定品質よりも劣悪である場合に、前記検出期間として第２検出期間を設定し、
前記第２検出期間は、前記第１検出期間よりも長いことを特徴とする通信方法。
【請求項６】
移動局と、当該移動局と無線通信する複数の基地局と、当該複数の基地局と通信する無線制御装置とを具備し、前記移動局と前記無線制御装置とが、前記複数の基地局を介して、フレーム化した同様のデータを通信する通信システムにおける通信方法であって、
前記複数の基地局のそれぞれが、前記無線制御装置へ、前記移動局から受信したデータを所定の送信周期で送信するステップＡと、
前記無線制御装置が、前記複数の基地局のそれぞれから送信されたデータを受信するステップＢと、
前記複数の基地局のそれぞれとの通信における通信品質を取得するステップＣと、
前記通信品質に応じて、前記複数の基地局のそれぞれとの通信に用いる伝送路における障害の発生を検出するための検出期間を、前記伝送路毎に設定するステップＤと、
前記ステップＣで受信するデータの受信間隔が前記検出期間を上回った場合、前記伝送路における障害の発生を検出するステップＥと、
前記ステップＥで障害の発生が検出された伝送路を用いる通信を停止するステップＦと
を具備しており、
前記ステップＤでは、前記通信品質が所定品質よりも良好である場合に、前記検出期間として第１検出期間を設定し、前記通信品質が所定品質よりも劣悪である場合に、前記検出期間として第２検出期間を設定し、
前記第２検出期間は、前記第１検出期間よりも長いことを特徴とする通信方法。
【発明の詳細な説明】
【技術分野】
【０００１】
本発明は、他の装置との間で、フレーム化したデータを通信する通信装置、通信システム、及び通信方法に関する。
【背景技術】
【０００２】
従来、携帯電話等の通信システムでは、例えば、無線制御装置と基地局との間でデータを送受信する伝送路において、ネットワークレイヤ及びその下位レイヤにおいて、一般的に、ＲＦＣ７９２で規定されているＩＣＭＰ（Ｉｎｔｅｒｎｅｔ  Ｃｏｎｔｒｏｌ  Ｍｅｓｓａｇｅ  Ｐｒｏｔｏｃｏｌ）のＥＣＨＯ ＲＥＱＵＥＳＴ／Ｒｅｐｌｙデータを送受信して、伝送路監視が行われている。（例えば、特許文献１参照）
具体的に、かかる通信システムでは、例えば、無線制御装置が、監視用送信データであるＥＣＨＯ  ＲＥＱＵＥＳＴデータを基地局へ送信し、これを受信した基地局が、監視用応答データであるＲｅｐｌｙデータを無線制御装置へ送信する。そして、無線制御装置は、当該Ｒｅｐｌｙデータを受信する又はしないことを判定することで、伝送路に切断等の障害が発生しているか否かを監視するように構成されている。つまり、かかる通信システムでは、監視用送信データ及び監視用応答データを、往路と復路との双方向で送信し、伝送路監視を行っている。
【特許文献１】特開２００５−２８６４５８号公報
【発明の開示】
【発明が解決しようとする課題】
【０００３】
しかしながら、かかる通信システムでは、無線制御装置と基地局との間で、本来送受信されるデータデータとは別に、監視用送信データ及び監視用応答データ（ＥＣＨＯ  ＲＥＱＵＥＳＴ／Ｒｅｐｌｙデータ）を双方向で送信するので、伝送路の帯域を圧迫する場合があった。さらに、例えば、無線制御装置が、複数の基地局と通信する場合、無線制御装置は、監視用送信データ及び監視用応答データの送受信処理における負荷が増加するという問題があった。また、例えば、無線制御装置では、監視用送信データに対する監視用応答データの受信を待ち受け、当該監視用応答データが、所定の期間受信されない場合、障害の発生を検出しているため、検出までに時間を要していた。
【０００４】
そこで、本発明は、上記の問題に鑑みてなされたもので、通信システムの伝送路監視において、伝送路の帯域が圧迫されることを低減しつつ、送信元の装置及び受信先の装置における送受信処理負荷を低減すると共に、伝送路の障害検出をより迅速に行う通信装置、通信システム、及び通信方法を提供することを課題とする。
【課題を解決するための手段】
【０００５】
上記目的を達成するため、本発明の第１の特徴は、他の装置との間で、フレーム化したデータを通信する通信装置であって、前記他の装置から、所定の周期で送信されたデータを受信する受信部と、前記他の装置との通信における通信品質を取得する取得部と、前記通信品質に応じて、所定の期間を設定する設定部と、前記データの受信間隔が、前記所定の期間を上回った場合、前記他の装置とのデータの伝送路を検出する検出部とを具備することを要旨とするものである。
【０００６】
第１の特徴に係る通信装置によれば、通信装置は、通信品質に応じて、所定の期間を設定すると共に、データの受信間隔が、所定の期間を上回った場合、他の装置とのデータの伝送路に障害が発生したとして検出する。よって、かかる発明によれば、通信装置は、従来技術で行われていた監視用送信データ及び監視用応答データを送受信せずに、他の装置とのデータの伝送路の障害を検出できるので、伝送路の帯域が圧迫されることを低減できると共に、送受信処理負荷を低減することができる。また、通信装置は、監視用応答データの受信を待ち受けることなく、伝送路の障害を検出できるので、伝送路の障害検出をより迅速に行うことができる。
【０００７】
また、本発明の第１の特徴において、前記通信品質は、正常に受信したデータと、正常に受信しなかったデータとの割合を示すフレームエラーレートであり、前記設定部は、前記フレームエラーレートが高いほど、前記所定の期間を長くなるように設定してもよい。かかる発明によれば、フレームエラーレートが高い（通信品質が低い）ことで、データの受信間隔が長くなった結果、伝送路を検出してしまうこと行うことを低減できるとともに、フレームエラーレートが低い（通信品質が高い）ほど、所定の期間を短く設定して、データの受信間隔に応じた伝送路の検出を行うことができる。
【０００８】
本発明の第２の特徴は、移動局と、当該移動局と無線通信する複数の基地局と、当該複数の基地局と通信する無線制御装置とを具備し、前記移動局と前記無線制御装置とが、前記複数の基地局を介して、フレーム化した同様のデータを通信する通信システムであって、前記基地局が、前記無線制御装置へ、前記移動局から受信したデータを、所定の周期で送信する送信部を具備し、前記無線制御装置が、各前記基地局から送信されたデータを受信する受信部と、前記複数の基地局との通信における各通信品質を取得する取得部と、前記通信品質に基づいて、所定の期間を、前記基地局毎に設定する設定部と、前記データの受信間隔が、前記所定の期間を上回った場合、当該データの伝送路を検出する検出部と、前記検出部において、検出された伝送路でデータを通信する前記基地局との通信を停止し、他の基地局とのみ通信する通信処理部とを具備することを要旨とするものである。
【０００９】
かかる発明によれば、無線制御装置は、通信品質に応じて、所定の期間を設定すると共に、データの受信間隔が、所定の期間を上回った場合、基地局とのデータの伝送路に障害が発生したとして検出する。よって、かかる発明によれば、無線制御装置は、従来技術で行われていた監視用送信データ及び監視用応答データを送受信せずに、基地局とのデータの伝送路の障害を検出できるので、伝送路の帯域が圧迫されることを低減できると共に、送受信処理負荷を低減することができる。また、通信装置は、監視用応答データの受信を待ち受けることなく、伝送路の障害を検出できるので、伝送路の障害検出をより迅速に行うことができる。また、障害が発生した伝送路でデータを通信する基地局との通信を、より迅速に停止し、他の基地局とのみ通信を行うことができる。
【００１０】
また、本発明の第２の特徴において、前記送信部は、送信する前記データがない場合、擬似データをフレーム化して送信してもよい。かかる発明によれば、データがない場合であっても、擬似データを送信するので、継続して、伝送路の障害発生を検出することができる。
【００１１】
本発明の第３の特徴は、他の装置との間で、フレーム化したデータを通信する通信装置における通信方法であって、前記他の装置から、所定の周期で送信されたデータを受信するステップと、前記他の装置との通信における通信品質を取得するステップと、前記通信品質に応じて、所定の期間を設定するステップと前記データの受信間隔が、前記所定の期間を上回った場合、前記他の装置とのデータの伝送路を検出するステップとを備えることを要旨とするものである。
【００１２】
本発明の第４の特徴は、移動局と、当該移動局と無線通信する複数の基地局と、当該複数の基地局と通信する無線制御装置とを具備し、前記移動局と前記無線制御装置とが、前記複数の基地局を介して、フレーム化した同様のデータを通信する通信システムにおける通信方法であって、前記複数の基地局が、前記無線制御装置へ、前記移動局から受信したデータを、所定の周期で送信するステップと、前記無線制御装置が、前記複数の基地局から送信されたデータを受信するステップと、前記複数の基地局との通信における各通信品質を取得するステップと、前記通信品質に応じて、所定の期間を、前記基地局毎に設定するステップと、前記データの受信間隔が、前記所定の期間を上回った場合、当該データの伝送路を検出するステップと、前記検出部において、検出された伝送路でデータを通信する前記基地局との通信を停止するステップとを備えることを要旨とするものである。
【発明の効果】
【００１３】
本発明によると、通信システムの伝送路監視において、伝送路の帯域が圧迫されることを低減しつつ、送信元の装置及び受信先の装置における監視用データの送受信処理負荷を低減すると共に、伝送路の障害検出をより迅速に行う通信装置、通信システム、及び通信方法を提供することができる。
【発明を実施するための最良の形態】
【００１４】
次に、図を参照して、本発明の実施形態について説明する。なお、以下の図面の記載において、同一または類似の部分には、同一または類似の符号を付している。ただし、図面は模式的なものであることに留意すべきである。
【００１５】
（本実施形態に係る通信システムの構成）
初めに、図１を参照しながら、第１実施形態に係る通信システム１の概略構成について説明する。図１の概略図に示すように、本実施形態に係る通信システム１は、移動局１０と無線通信する複数の基地局１１０乃至１３０と、基地局１１０乃至１３０及び交換機３００との間で通信する無線制御装置２００とを具備する。
【００１６】
基地局１１０は、無線範囲Ｃ１１０を形成し、基地局１２０は、無線範囲Ｃ１２０を形成し、基地局１３０は、無線範囲Ｃ１３０を形成する。また、基地局１１０乃至１３０は、自局が形成する無線範囲Ｃ１１０乃至１３０内に存在する移動局１０との間で、無線通信する。
【００１７】
また、本実施形態において、移動局１０は、携帯電話機や、ＰＤＡ（Ｐｅｒｓｏｎａｌ Ｄｅｇｉｔａｌ Ａｓｓｉｓｔａｎｔ）や、ノート型コンピュータなどのモバイル機器を想定している。
【００１８】
また、移動局１０は、複数の基地局１１０乃至１３０と、３ブランチ形式で通信するダイバーシチハンドオーバを行う機能を有しており、フレーム化した同様の上りデータを分配し、複数の基地局１１０乃至１３０を介して、無線制御装置２００へ送信する。また、無線制御装置２００は、フレーム化した同様の下りデータを複製して分配し、複数の基地局１１０乃至１３０を介して、移動局１０へ送信する。
【００１９】
また、本実施形態において、基地局１１０は、データ１１を、伝送路５１を介して、無線制御装置２００との間で送受信する。また、基地局１２０は、データ１２を、伝送路５２を介して、無線制御装置２００との間で送受信する。また、基地局１３０は、データ１３を、伝送路５３を介して、無線制御装置２００との間で送受信する。なお、基地局１１０乃至１３０と無線制御装置２００との間において、ネットワーク層以下のレイヤにおけるプロトコルにより、通信が行われている。
【００２０】
ここで、図２（ａ）には、基地局１１０乃至１３０と無線制御装置２００との間におけるデータフレームフォーマットの一例が示されており、図２（ｂ）には、移動局１０と、基地局１１０乃至１３０と、無線制御装置２００との間におけるプロトコルスタックの一例が示されている。
【００２１】
図２（ａ）に示すように、データフレームフォーマットには、ヘッダー（Ｈｅａｄｅｒ）情報と、ペイロード（Ｐａｙｌｏａｄ）情報とが含まれている。また、図２（ｂ）に示すように、移動局１０と無線制御装置２００との間では、ＲＲＣ（Ｒａｄｉｏ Ｒｅｓｏｕｒｃｅ Ｃｏｎｔｒｏｌ）間で無線ベアラが形成されると共に、データ（Ｕｓｅｒ Ｄａｔａ）間で、データコネクションが形成される。
【００２２】
なお、本実施形態において、無線制御装置２００と基地局１１０乃至１３０との間の通信において、後述する各種機能は、主に、Ｉｕｂ ＦＰ（Ｆｒａｍｅ Ｐｒｏｔｃｏｌ）によって実施される。また、図２（ａ）乃至（ｂ）に示されるデータフォーマット及びプロトコルスタックは、“３ＧＰＰ  ＴＳ２５.４２７ＵＴＲＡＮ Ｉｕｂ／Ｉｕｒ ｉｎｔｅｒｆａｃｅ ｕｓｅｒ ｐｌａｎｅ ｐｒｏｔｏｃｏｌ ｆｏｒ ＤＣＨ ｄａｔａ ｓｔｒｅａｍｓ （Ｒｅｌｅａｓｅ ６）”に記載されているので、詳細な説明は省略する。
【００２３】
また、無線制御装置２００は、交換機３００と接続し、当該交換機３００から、移動局１０に対して送信される下りデータを、３つのフレーム化したデータ１１乃至１３を複製して、基地局１１０乃至１３０へ送信する。また、無線制御装置２００は、基地局１１０乃至１３０から送信されたデータ１１乃至１３を合成して、データ２０を交換機３００へ送信する。
【００２４】
交換機３００は、無線制御装置２００と接続し、当該無線制御装置２００との間で、データ２０を送受信する。
【００２５】
（本実施形態に係る無線制御装置の構成）
次に、本実施形態に係る無線制御装置２００の構成について説明する。また、以下、本発明との関連がある部分について主に説明する。したがって、無線制御装置２００は、無線制御装置２００としての機能を実現する上で必須な、図示しない或いは説明を省略した機能ブロック（電源部など）を備える場合があることに留意されたい。
【００２６】
図３に示すように、無線制御装置２００は、パラメータ記憶部２１０と、ＢＳ側通信処理部２２０と、通信品質取得部２３０と、送受信パラメータ設定部２４０と、データ監視部２５０と、障害検出部２６０と、合成・分配処理部２７０と、ＭＳＣ側通信処理部２８０とを具備する。
【００２７】
パラメータ記憶部２１０は、パラメータテーブルＴ１を具備する。
【００２８】
具体的に、パラメータテーブルＴ１は、図４に示すように、基地局ＩＤと、送信周期ΔＴｓと、予測受信期間ΔＴｒと、障害検出期間Ｔｐとを関連付けて記憶する。
【００２９】
ここで、基地局ＩＤは、基地局１１０乃至１３０を識別する情報であり、本実施形態では、基地局１１０の基地局ＩＤを“ＢＳ１１０”とし、基地局１２０の基地局ＩＤを“ＢＳ１２０”とし、基地局１３０の基地局ＩＤを“ＢＳ１３０”として説明する。
【００３０】
また、送信周期ΔＴｓは、基地局１１０乃至１３０へ送信するデータの送信周期を示す情報であり、後述するＢＳ側通信処理部２２０において、詳細を説明する。また、予測受信期間ΔＴｒは、基地局１１０乃至１３０から送信されたデータの受信間隔を予測した期間を示す情報であり、後述するデータ監視部２５０において、詳細を説明する。また、障害検出期間Ｔｐはデータの通信を行う伝送路５１乃至５３で障害が発生したことを検出する際の基準となる期間を示す情報であり、後述する障害検出部２６０において、詳細を説明する。なお、上述した送信周期ΔＴｓと、予測受信期間ΔＴｒと、障害検出期間Ｔｐとは、後述する送受信パラメータ設定部２４０によって、パラメータテーブルＴ１へ記憶される。
【００３１】
ＢＳ側通信処理部２２０は、基地局１１０乃至１３０との通信インターフェースとして機能しており、各基地局１１０乃至１３０から送信されたデータを受信する受信部として機能する。また、ＢＳ側通信処理部２２０は、各基地局１１０乃至１３０へ、所定の周期で、フレーム化したデータを送信する送信部として機能する。
【００３２】
また、ＢＳ側通信処理部２２０は、基地局１１０乃至１３０から受信したデータと、当該データの送信元の基地局１１０乃至１３０の基地局ＩＤとを、後述する合成・分配処理部２７０及びデータ監視部２５０へ送信する。また、ＢＳ側通信処理部２２０は、合成・分配処理部２７０から、基地局１１０乃至１３０の基地局ＩＤと、下りデータとを受信し、当該基地局ＩＤに対応する基地局１１０乃至１３０へ、当該データを送信する。
【００３３】
また、ＢＳ側通信処理部２２０は、基地局１１０乃至１３０に対して、データを送信する際、パラメータテーブルＴ１を参照し、送信先の基地局１１０乃至１３０に対応する基地局ＩＤに関連付けて記憶されている送信周期ΔＴｓで、当該データを送信する。また、ＢＳ側通信処理部２２０は、基地局１１０乃至１３０に対して、送信するデータがない場合、擬似データをフレーム化して送信する。具体的に、ＢＳ側通信処理部２２０は、予め擬似データ（ダミーデータ）を記憶しており、基地局１１０乃至１３０に対して送信するデータが無い場合、記憶する擬似データをフレーム化し、基地局１１０乃至１３０に対して送信する。
【００３４】
図５には、ＢＳ側通信処理部２２０が、基地局１１０乃至１３０に対して送信するデータのイメージが示されている。図５に示すように、ＢＳ側通信処理部２２０は、データＤＬ＃１乃至３を送信後、送信するデータがない場合、擬似データＤＬ＃４乃至５を生成して送信する。なお、この時、ＢＳ側通信処理部２２０は、パラメータテーブルＴ１を参照し、送信先の基地局１１０乃至１３０に対応する基地局ＩＤに関連付けて記憶されている送信周期ΔＴｓで、当該擬似データを送信する。
【００３５】
通信品質取得部２３０は、複数の基地局１１０乃至１３０との通信における各通信品質を取得する。具体的に、通信品質取得部２３０は、ＢＳ側通信処理部２２０で受信された基地局１１０乃至１３０からのデータに基づいて、正常に受信したデータと、正常に受信しなかったデータとの割合を示すフレームエラーレート（以下、ＦＥＲ：Ｆｒａｍｅ  Ｅｒｒｏｒ  Ｒａｔｅ）を、通信品質として取得する。なお、上述した通信品質は、ビットの誤り率を示すＢＥＲ（Ｂｉｔ  Ｅｒｒｏｒ  Ｒａｔｅ）など、通信品質を示す他の情報であってもよい。
【００３６】
また、通信品質取得部２３０は、上述したＦＥＲを取得すると、当該ＦＥＲと、当該ＦＥＲを通信品質とする通信先の基地局１１０乃至１３０の基地局ＩＤとを、後述する送受信パラメータ設定部２４０へ通知する。
【００３７】
送受信パラメータ設定部２４０は、通信品質に応じて、所定の期間を、基地局１１０乃至１３０毎に設定する。また、送受信パラメータ設定部２４０は、通信品質として通知されたＦＥＲが高いほど、所定の期間を長くなるように設定する。
【００３８】
具体的に、送受信パラメータ設定部２４０は、パラメータ判定テーブルＴ２を備えている。パラメータ判定テーブルＴ２は、図６に示すように、ＦＥＲ範囲と、送信周期ΔＴｓと、予測受信期間ΔＴｒと、障害検出期間ΔＴｐとを関連付けて、予め記憶している。ここで、本実施形態において、上述した所定の期間は、予測受信期間ΔＴｒと、障害検出期間ΔＴｐとを合わせた期間を示している。
【００３９】
また、送受信パラメータ設定部２４０は、通信品質取得部２３０から、ＦＥＲと、基地局ＩＤとが通知されると、ＦＥＲの値が、予め記憶するＦＥＲの閾値ＱＳｈ以上であるか否かを判別する。
【００４０】
また、送受信パラメータ設定部２４０は、ＦＥＲの値が、ＦＥＲの閾値ＱＳｈ以上であると判別した場合、パラメータ判定テーブルＴ２を参照し、ＦＥＲの範囲（QR≧ＱＳｈ）に対応する送信周期“ΔＴｓ２”と、予測受信期間“ΔＴｒ２”と、障害検出期間“Ｔｐ２”とを、パラメータ記憶部２１０のパラメータテーブルＴ１へ記憶する。
【００４１】
また、送受信パラメータ設定部２４０は、ＦＥＲの値が、ＦＥＲの閾値ＱＳｈ未満であると判別した場合、パラメータ判定テーブルＴ２を参照し、ＦＥＲの範囲（QR＜ＱＳｈ）に対応する送信周期“ΔＴｓ１”と、予測受信期間“ΔＴｒ１”と、障害検出期間“Ｔｐ１”とを、パラメータ記憶部２４０のパラメータテーブルＴ１へ記憶する。
【００４２】
ここで、本実施形態では、送信周期ΔＴｓにおいて、上述した送信周期“ΔＴｓ１”よりも送信周期“ΔＴｓ２”の方が、長い周期（期間）を示す値である。また、予測受信期間ΔＴｒにおいて、予測受信期間“ΔＴｒ１”よりも予測受信期間“ΔＴｒ２”の方が長い期間を示す値である。また、障害検出期間Ｔｐにおいて、障害検出期間“Ｔｐ１”よりも障害検出期間“Ｔｐ２”の方が、長い期間を示す値である。つまり、送受信パラメータ設定部２４０は、ＦＥＲの値が大きいほど期間の長い、送信周期“ΔＴｓ２”と、予測受信期間“ΔＴｒ２”と、障害検出期間“Ｔｐ２”とをパラメータテーブルＴ１へ記憶する。
【００４３】
また、送信周期“ΔＴｓ１”より予測受信期間“ΔＴｒ１”の方が長い期間を示す値であり、予測受信期間“ΔＴｒ１”よりも、障害検出期間“Ｔｐ１”の方が長い期間を示す値である。また、送信周期“ΔＴｓ２”より予測受信期間“ΔＴｒ２”の方が長い期間を示す値であり、予測受信期間“ΔＴｒ２”よりも、障害検出期間“Ｔｐ２”の方が長い期間を示す値である。
【００４４】
なお、本実施形態では、送受信パラメータ設定部２４０において、予め記憶するＦＥＲの閾値ＱＳｈが、一つである場合を例に説明するが、記憶する閾値ＱＳｈの数は、これに限定されるものではなく、また、送信周期“ΔＴｓ１乃至２”と、予測受信期間“ΔＴｒ１乃至２”と、障害検出期間“Ｔｐ１乃至２”とのそれぞれの数も、これに限定されるものではない。
【００４５】
データ監視部２５０は、基地局１１０乃至１３０から、予測受信期間ΔＴｒ内に、データが受信されているか否かを監視する。具体的に、データ監視部２５０は、内部にタイマーの機能を有しており、ＢＳ側通信処理部２２０から、基地局１１０乃至１３０から送信されたデータと、当該データの送信元の基地局１１０乃至１３０の基地局ＩＤとを受信すると、当該基地局ＩＤに関連付けて、タイマーを起動させる。
【００４６】
そして、データ監視部２５０は、パラメータテーブルＴ１を参照し、基地局ＩＤに関連付けて記憶されている予測受信期間ΔＴｒを取得すると共に、取得した予測受信期間ΔＴｒ内に、起動させたタイマーに対応する基地局ＩＤと、当該基地局ＩＤに対応する基地局１１０乃至１３０から、次のデータが受信されるか否かを判別する。
【００４７】
また、データ監視部２５０は、取得した予測受信期間ΔＴｒ内に、次のデータが受信された場合、後述する障害検出部２６０へ、予測受信期間ΔＴｒ内に、データが受信されたことを示す受信情報を送信する。なお、当該受信情報には、受信されたデータの通信先を示す基地局１１０乃至１３０の基地局ＩＤが含まれている。
【００４８】
また、データ監視部２５０は、取得した予測受信期間ΔＴｒ内に、次のデータが受信されなかった場合、後述する障害検出部２６０へ、予測受信期間ΔＴｒ内に、データが受信されなかったことを示す未受信情報を送信する。なお、当該未受信情報には、受信されなかったデータの通信先を示す基地局１１０乃至１３０の基地局ＩＤが含まれている。また、データ監視部２５０は、上述した受信情報及び未受信情報を送信後、タイマーをリセットする。
【００４９】
障害検出部２６０は、基地局１１０乃至１３０からのデータの受信間隔が所定の期間を上回った場合、基地局１１０乃至１３０とのデータの伝送路５１乃至５３を検出する。具体的に、障害検出部２６０は、内部にタイマーの機能を有しており、データ監視部２５０から未受信情報を受信すると、当該未受信情報に含まれる基地局ＩＤと関連付けて、タイマーを起動させる。そして、障害検出部２６０は、パラメータテーブルＴ１を参照し、当該基地局ＩＤに関連付けて記憶されている障害検出期間ΔＴｐを取得すると共に、取得した障害検出期間ΔＴｐ内に、起動させたタイマーに対応する基地局ＩＤを含む受信情報が、受信されるか否かを判別する。
【００５０】
また、障害検出部２６０は、障害検出期間ΔＴｐ内に、起動させたタイマーに対応する基地局ＩＤを含む受信情報が、受信されないと判別した場合、当該基地局ＩＤに対応する基地局１１０乃至１３０との伝送路５１乃至５３に障害が発生していることを検出し、検出した伝送路５１乃至５３で通信する１１０乃至１３０の基地局ＩＤを含む障害検出情報を、後述する合成・分配処理部２７０へ送信する。なお、かかる障害検出情報は、伝送路５１乃至５３に障害が発生していることを示す情報である。
【００５１】
また、障害検出部２６０は、障害検出期間ΔＴｐ内に、起動させたタイマーに対応する基地局ＩＤを含む受信情報が、受信されたと判別した場合、タイマーを停止すると共に、当該タイマーをリセットする。なお、障害検出部２６０は、起動していないタイマーに対応する基地局ＩＤを含む受信情報が、受信された場合は、何も動作を行わない。
【００５２】
ここで、図６には、データ監視部２５０において、ＢＳ側通信処理部２２０から受信されたデータと、上述したデータ監視部２５０が受信情報及び未受信情報を送信するタイミングと、障害検出部２６０が障害検出情報を送信するタイミングとを、時系列上に示したイメージが示されている。
【００５３】
図６に示すように、データ監視部２５０は、データＵＬ＃１を受信してから、予測受信期間ΔＴｒ内に、データＵＬ＃２乃至データＵＬ＃３を受信すると、受信した際に、障害検出部２６０へ受信情報を送信する。また、データ監視部２５０は、データＵＬ＃３を受信してから、予測受信期間ΔＴｒ内に、データＵＬ＃４を受信せず、予測受信期間ΔＴｒが経過した際、障害検出部２６０へ未受信情報を送信する。そして、この後、障害検出部２６０は、データ監視部２５０から、受信情報が送信されず、障害検出期間ΔＴｐが経過した場合、障害検出情報を、合成・分配処理部２７０へ送信する。
【００５４】
合成・分配処理部２７０は、後述するＭＳＣ側通信処理部２８０から送信されたデータを、３つのデータに複製して分配し、ＢＳ側通信処理部２２０へ送信する。また、合成・分配処理部２７０は、ＢＳ側通信処理部２２０から送信された基地局１１０乃至１３０からのデータを合成し、ＭＳＣ側通信処理部２８０へ送信する。
【００５５】
また、合成・分配処理部２７０は、障害検出部２６０において検出された伝送路５１乃至５３でデータを通信する基地局１１０乃至１３０との通信を停止し、他の基地局１１０乃至１３０とのみ通信する。具体的に、合成・分配処理部２７０は、障害検出部２６０から障害検出情報を受信すると、当該障害検出情報に含まれる基地局ＩＤに対応する基地局１１０乃至１３０（例えば、基地局１１０）へのデータの複製を停止し、他の基地局１１０乃至１３０（例えば、基地局１２０乃至１３０）へのデータのみを複製して、分配する。また、合成・分配処理部２７０は、停止した基地局１１０乃至１３０に対応する基地局ＩＤを、ＢＳ側通信処理部２２０へ通知すると共に、ＢＳ側通信処理部２２０に対して、停止した基地局１１０乃至１３０からのデータの受信を停止させる。
【００５６】
ＭＳＣ側通信処理部２８０は、交換機３００との通信インターフェースとして機能しており、交換機３００から送信される下りデータを、合成・分配処理部２７０へ送信する。また、合成・分配処理部２７０から送信された上りデータを交換機３００へ送信する。
【００５７】
（本実施形態に係る基地局の構成）
次に、本実施形態に係る基地局１１０乃至１３０の構成について説明する。また、基地局１１０乃至１３０の構成は、同様であるため、基地局１１０の構成について説明する。なお、以下、本発明との関連がある部分について主に説明する。したがって、基地局１１０は、基地局１１０としての機能を実現する上で必須な、図示しない或いは説明を省略した機能ブロック（電源部など）を備える場合があることに留意されたい。
【００５８】
基地局１１０は、無線制御装置２００から送信されるデータの通信品質に基づいて、無線制御装置２００へのデータを、所定の周期で送信すると共に、無線制御装置２００からの下りデータの受信間隔が所定の期間を上回った場合、無線制御装置２００との伝送路５１を検出する。
【００５９】
具体的に、基地局１１０は、パラメータ記憶部１１１と、ＲＮＣ側通信処理部１１２と、通信品質取得部１１３と、送受信パラメータ設定部１１４と、データ監視部１１５と、障害検出部１１６と、ＭＳ側通信処理部１１７とを具備する。
【００６０】
パラメータ記憶部１１１は、パラメータテーブルＴ３を具備する。なお、上述した無線制御装置２００のパラメータテーブルＴ１では基地局ＩＤを記憶していたが、パラメータテーブルＴ３では、基地局ＩＤではなく無線制御装置ＩＤを記憶している。具体的に、パラメータテーブルＴ３は、図９に示すように、無線制御装置２００を識別する情報である無線制御装置ＩＤと、送信周期ΔＴｓと、予測受信期間ΔＴｒと、障害検出期間Ｔｐとを関連付けて記憶する。なお、上述した送信周期ΔＴｓと、予測受信期間ΔＴｒと、障害検出期間Ｔｐとは、後述する送受信パラメータ設定部１１４によって、記憶される。
【００６１】
ＲＮＣ側通信処理部１１２は、無線制御装置２００との通信インターフェースとして機能しており、無線制御装置２００から送信されたデータを受信する受信部として機能する。また、ＲＮＣ側通信処理部１１２は、無線制御装置２００へ、所定の周期で、フレーム化したデータを送信する送信部として機能する。また、ＲＮＣ側通信処理部１１２は、無線制御装置２００から受信したデータを、後述するＭＳ側通信処理部１１７と、データ監視部１１５とへ送信する。
【００６２】
また、ＲＮＣ側通信処理部１１２は、ＭＳ側通信処理部１１７から、無線制御装置２００へ送信する上りデータを受信すると共に、無線制御装置２００へ、受信した当該データを送信する。また、ＲＮＣ側通信処理部１１２は、無線制御装置２００に対して、データを送信する際、パラメータテーブルＴ３を参照し、記憶されている送信周期ΔＴｓで、当該データを送信する。
【００６３】
また、ＲＮＣ側通信処理部１１２は、無線制御装置２００に対して、送信するデータがない場合、擬似データをフレーム化して送信する。具体的に、ＲＮＣ側通信処理部１１２は、予め擬似データ（ダミーデータ）を記憶しており、無線制御装置２００に対して送信するデータが無い場合、記憶する擬似データをフレーム化し、無線制御装置２００に対して送信する。
【００６４】
通信品質取得部１１３は、ＲＮＣ側通信処理部１１２で受信された無線制御装置２００からの下りデータに基づいて、正常に受信したデータと、正常に受信しなかったデータとの割合を示すＦＥＲを、通信品質として取得する。また、通信品質取得部１１３は、取得したＦＥＲを後述する送受信パラメータ設定部１１４へ送信する。
【００６５】
送受信パラメータ設定部１１４は、通信品質に応じて、所定の期間を設定する。また、送受信パラメータ設定部１１４は、通信品質として通知されたＦＥＲが高いほど、所定の期間を長くなるように設定する。具体的に、送受信パラメータ設定部１１４は、図６に示すパラメータ判定テーブルＴ２を備えている。また、送受信パラメータ設定部１１４は、無線制御装置２００の送受信パラメータ設定部２４０と同様に、通信品質取得部１１３から、ＦＥＲを通知されると、パラメータ判定テーブルＴ２を参照し、送信周期“ΔＴｓ１又はΔＴｓ２”と、予測受信期間“ΔＴｒ１又はΔＴｒ２”と、障害検出期間“Ｔｐ１又はΔＴｐ２”とを、パラメータ記憶部１１１のパラメータテーブルＴ３へ記憶する。
【００６６】
データ監視部１１５は、ＲＮＣ側通信処理部１１２から送信されるデータの受信間隔が、予測受信期間ΔＴｒ内であるか否かを判別する。また、データ監視部１１５は、ＲＮＣ側通信処理部１１２から送信されたデータと、パラメータテーブルＴ３に記憶されている予測受信期間ΔＴｒとに基づいて、受信情報又は未受信情報を障害検出部１１６へ送信する。なお、データ監視部１１５において、ＲＮＣ側通信処理部１１２から受信したデータの受信間隔と、予測受信期間ΔＴｒとに基づいて、受信情報及び未受信情報を送信する機能は、無線制御装置２００のデータ監視部２５０と同様であるため、詳細な説明は省略する。
【００６７】
障害検出部１１６は、無線制御装置２００からのデータの受信間隔が所定の期間を上回った場合、無線制御装置２００とのデータの伝送路５１乃至５３を検出する。具体的に、障害検出部１１６は、パラメータテーブルＴ３に記憶されている障害検出期間ΔＴｐと、データ監視部１１５から送信された未受信情報又は受信情報に基づいて、障害検出情報を後述するＭＳ側通信処理部１１７へ送信する。なお、障害検出部１１６において、未受信情報又は受信情報に基づいて、障害検出情報を送信する機能は、無線制御装置２００の障害検出部２６０と同様であるため、詳細な説明は省略する。
【００６８】
ＭＳ側通信処理部１１７は、移動局１０との通信インターフェースとして機能しており、移動局１０との間で、上りデータ及び下りデータを無線通信する。また、ＭＳ側通信処理部１１７は、障害検出部１１６から障害検出情報を受信すると、移動局１０へのデータの送受信を停止する。また、ＭＳ側通信処理部１１７は、ＲＮＣ側通信処理部１１２に対して、無線制御装置２００との通信を停止させる。
【００６９】
（本実施形態に係る通信システムの動作）
次に、上述した無線制御装置２００の動作について説明する。なお、本実施形態では、移動局１０は、複数の基地局１１０乃至１３０と、３ブランチ形式で通信するダイバーシチハンドオーバを行う機能を有している。また、無線制御装置２００は、フレーム化した同様の下りデータを分配し、複数の基地局１１０乃至１３０を介して、移動局１０へ送信する。
【００７０】
まず、図１０を参照して、本実施形態に係る無線制御装置２００が、基地局１１０との間で通信を開始した際の動作について説明する。なお、無線制御装置２００は、図１０に示す動作を、各基地局１１０乃至１３０との通信別に実施する。ここで、本実施形態では、無線制御装置２００と、基地局１１０との間で行われている通信に着目して説明する。
【００７１】
ステップＳ１００において、基地局１１０のＲＮＣ側通信処理部１１２は、無線制御装置２００へ、移動局１０から受信したデータを、送信周期Ｔｓで送信する。また、ＲＮＣ側通信処理部１１２は、移動局から受信したデータが無い場合、擬似データを送信する。
【００７２】
ステップＳ１１０において、無線制御装置２００のＢＳ側通信処理部２２０は、基地局１１０から送信されたデータを受信する。
【００７３】
ステップＳ１２０において、通信品質取得部２３０は、ＢＳ側通信処理部２２０で受信されているデータから、ＦＥＲを取得し、取得したＦＥＲと、データを送信した基地局ＩＤとを、送受信パラメータ設定部２４０へ送信する。
【００７４】
ステップＳ１３０において、送受信パラメータ設定部２４０は、パラメータ判定テーブルＴ２を参照し、受信したＦＥＲが閾値ＱＳｈ以上である場合、当該ＦＥＲのデータで通信する通信先の基地局１１０乃至１３０の基地局ＩＤと、送信周期ΔＴｓ２と、予測受信期間ΔＴｒ２と、障害検出期間Ｔｐ２とを設定する。また、送受信パラメータ設定部２４０は、ＦＥＲが閾値ＱＳｈ未満である場合、当該ＦＥＲのデータで通信する通信先の基地局１１０乃至１３０の基地局ＩＤと、送信周期ΔＴｓ１と、予測受信期間ΔＴｒ１と、障害検出期間Ｔｐ１とを関連付けて、パラメータテーブルＴ１へ記憶する。
【００７５】
ステップＳ１４０において、ＢＳ側通信処理部２２０は、パラメータテーブルＴ１を参照し、基地局１１０へ、データを、所定の送信周期で送信するフレーム送信処理を実施する。なお、当該フレーム送信処理については、詳細を後述する（図１１参照）。
【００７６】
ステップＳ１５０において、データ監視部２５０と、障害検出部２６０と、合成・分配処理部２７０とは、パラメータテーブルＴ１を参照すると共に、基地局１１０からのデータの受信間隔に基づいて、基地局１１０とのデータの伝送路５１において、障害が発生していないかを監視する受信監視処理を実施する。なお、受信監視処理については、詳細を後述する（図１２乃至図１３参照）。
【００７７】
（送信制御処理の動作）
次に、図１１を参照して、本実施形態に係る無線制御装置２００が、基地局１１０へ、データを送信する際に行う送信制御処理について説明する。
【００７８】
ステップＳ１４０１において、ＢＳ側通信処理部２２０は、パラメータテーブルＴ１を参照し、基地局１１０の基地局ＩＤと送信間隔ΔＴｓ１又はΔＴｓ２を取得する。
【００７９】
ステップＳ１４０２において、ＢＳ側通信処理部２２０は、基地局１１０へ送信するデータがあるか否かを判別する。
【００８０】
ステップＳ１４０３において、ＢＳ側通信処理部２２０は、送信するデータがあると判別した場合、取得した基地局ＩＤに対応する基地局１１０へ、当該基地局ＩＤに関連付けて記憶されている送信周期ΔＴｓ１又はΔＴｓ２で、データを送信する。
【００８１】
ステップＳ１４０４において、ＢＳ側通信処理部２２０は、送信するデータがないと判別した場合、取得した基地局ＩＤに対応する基地局１１０へ、当該基地局ＩＤに関連付けて記憶されている送信周期ΔＴｓ１又はΔＴｓ２で、予め記憶する擬似データを送信する。
【００８２】
なお、上述したステップＳ１４０１乃至Ｓ１４０４の動作は、基地局１１０のＲＮＣ側通信処理部１１２においても実施される。
【００８３】
（受信監視処理の動作）
次に、図１２を参照して、基地局１１０から送信されたデータに対する受信監視処理について説明する。なお、かかる受信監視処理は、データ監視部２５０と、障害検出部２６０と、合成・分配処理部２７０とによって実現される。
【００８４】
ステップＳ１５０１において、データ監視部２５０は、ＢＳ側通信処理部２２０から送信されたデータと、当該データの送信元である基地局１１０の基地局ＩＤとを受信する。
【００８５】
ステップＳ１５０２において、データ監視部２５０は、受信した送信元の基地局ＩＤと対応付けて、内部に備えられているタイマーの起動を開始する。また、データ監視部２５０は、パラメータテーブルＴ１を参照し、タイマーを起動した基地局ＩＤに関連付けて記憶されている予測受信期間ΔＴｒ１又はΔＴｒ２を取得する。
【００８６】
ステップＳ１５０３において、データ監視部２５０は、取得した予測受信期間ΔＴｒ１又はΔＴｒ２内に、ＢＳ側通信処理部２２０から、基地局１１０からの次のデータ（又は擬似データ）が受信されたか否かを判別する。
【００８７】
ステップＳ１５０４において、データ監視部２５０は、データの受信があったと判別した場合、障害検出部２６０へ、受信があった基地局１１０の基地局ＩＤを含む受信情報を送信する。また、データ監視部２５０は、受信情報を送信後、タイマーをリセットする。
【００８８】
ステップＳ１５０５において、データ監視部２５０は、受信が無いと判別した場合、障害検出部２６０へ、受信が無かった基地局１１０の基地局ＩＤを含む未受信情報を送信する。また、データ監視部２５０は、未受信情報を送信後、タイマーをリセットする。
【００８９】
次に、図１３を参照して、障害検出部２６０及び合成・分配処理部２７０の動作について説明する。
【００９０】
ステップＳ１５１１において、障害検出部２６０は、データ監視部２５０から送信された未受信情報を受信する。
【００９１】
ステップＳ１５１２において、障害検出部２６０は、当該未受信情報に含まれる基地局１１０の基地局ＩＤと対応付けて、内部に備えられているタイマーの起動を開始する。また、障害検出部２６０は、パラメータテーブルＴ１を参照し、基地局１１０の基地局ＩＤに関連付けて記憶されている障害検出時間ΔＴｐ１又はΔＴｐ２を取得する。
【００９２】
ステップＳ１５１３において、障害検出部２６０は、タイマーの起動を開始してから、取得した障害検出時間ΔＴｐ１又はΔＴｐ２内に、データ監視部２５０から受信情報を受信したか否かを判別する。
【００９３】
ステップＳ１５１４において、障害検出部２６０は、障害検出時間ΔＴｐ１又はΔＴｐ２内に、データ監視部２５０から受信情報を受信していないと判別した場合、合成・分配処理部２７０へ、基地局１１０の基地局ＩＤを含む障害検出情報を送信する。
【００９４】
ステップＳ１５１５において、合成・分配処理部２７０は、障害検出情報を受信すると、当該障害検出情報に含まれている基地局ＩＤに対応する基地局１１０に対するデータの分配を停止すると共に、ＢＳ側通信処理部２２０へ、基地局１１０との通信を停止するように通知する。また、この通知を受けたＢＳ側通信処理部２２０は、基地局１１０との通信を停止する。
【００９５】
一方、ステップＳ１５１６において、障害検出部２６０は、障害検出時間ΔＴｐ１又はΔＴｐ２内に受信情報を受信したと判別した場合、基地局ＩＤに対応するタイマーを停止させてリセットする。
【００９６】
なお、基地局１１０乃至１３０においても、無線制御装置２００から受信したデータの受信監視処理とが実施される。
【００９７】
また、本実施形態では、無線制御装置２００及び基地局１１０乃至１３０が、上述した送信制御処理及び受信監視処理を実施するように構成されていたが、一方が、送信制御処理を実施し、他方が、受信監視処理を実施するように構成されていればよい。具体的に、基地局１１０乃至１３０が、送信制御処理を実施し、無線制御装置２００が、受信監視処理を実施するように構成されていれば、伝送路５１乃至５３において障害が発生したことを検出することが可能である。
【００９８】
（本実施形態に係る通信システムの作用・効果）
かかる発明によれば、無線制御装置２００（又は基地局１１０乃至１３０）は、通信品質に応じて、所定の期間（予測受信期間及び障害検出期間）を設定すると共に、データの受信間隔が、所定の期間を上回った場合、基地局とのデータの伝送路に障害が発生したとして検出する。よって、かかる発明によれば、無線制御装置２００は、従来技術で行われていた監視用送信データ及び監視用応答データを送受信せずに、基地局１１０乃至１３０とのデータの伝送路の障害を検出できるので、伝送路における通信帯域が圧迫されることを低減できると共に、監視用送信データ及び監視用応答データの送受信における通信処理負荷を低減することができる。また、無線制御装置２００（又は基地局１１０乃至１３０）は、監視用応答データの受信を待ち受けることなく、伝送路の障害を検出できるので、伝送路の障害検出をより迅速に行うことができる。また、例えば、障害が発生した伝送路でデータを通信する基地局１１０との通信を、より迅速に停止し、他の基地局１２０乃至１３０とのみ通信を行うことができる。
【００９９】
具体的に、図１４に示すように、従来技術に係る無線制御装置２００では、基地局１１０乃至１３０から送信されたデータを合成し、合成したデータを交換機３００へ送信する場合、ＣＦＮ（Ｃｏｎｎｅｃｔｉｏｎ Ｆｒａｍ Ｎｕｍｂｅｒ）が“Ｎ”の時に、基地局１１０との伝送路５１で障害が発生すると、無線制御装置２００は、監視用送信データであるＥＣＨＯ ＲＥＱＵＥＳＴや、監視用応答データであるＲｅｐｌｙを送受信し、伝送路に障害が発生していることを検出していた。従って、従来技術に係る無線制御装置２００では、監視用応答データの応答を待ち受けるため、少なくとも固定的に設定されている遅延時間ＴＬ１の期間は、交換機３００へ、上りデータが送信されなかった。
【０１００】
一方、本発明に係る無線制御装置２００では、図１５に示すように、障害を検出した伝送路５１で通信する基地局１１０から送信されたデータを除き、基地局１２０乃至１３０から送信されたデータを合成し、遅延時間ＴＬ１よりも短い遅延時間ＴＬ２（障害検出期間Ｔｐ）で、合成したデータＮを、交換機３００へ送信することができる。
【０１０１】
また、かかる発明によれば、送受信パラメータ設定部２４０は、ＦＥＲが高いほど、所定の期間を長くなるように設定するので、ＦＥＲが高い（通信品質が低い）ことで、データの受信間隔が長くなった結果、伝送路５１乃至５３に障害が発生したとして検出してしまうことを低減できる。また、送受信パラメータ設定部２４０は、ＦＥＲが低い（通信品質が高い）ほど、所定の期間を短く設定するので、伝送路５１乃至５３を早期に検出する等、通信品質に応じた伝送路５１乃至５３における障害の検出を行うことができる。
【０１０２】
また、かかる発明によれば、データがない場合であっても、擬似データを送信するので、継続して、伝送路５１乃至５３における障害発生を検出することができる。
【０１０３】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１０４】
上述した実施形態では、本発明に係る無線制御装置２００と基地局１１０とを例に挙げて、通信システムについて説明したが、図３に示すＢＳ側通信処理部２２０（ＲＮＣ側通信処理部１１２）、通信品質取得部２３０（通信品質取得部１１３）、送受信パラメータ設定部２４０（送受信パラメータ設定部１１４）、パラメータ記憶部２１０（パラメータ記憶部１１１）、データ監視部２５０（データ監視部１１５）、障害検出部２６０（障害検出部１１６）等の各機能は、無線制御装置２００及び基地局１１０以外の装置に配置してもよい。例えば、これらの機能を、交換機３００に配置することも可能である。つまり、本発明は、データ通信を行う様々な装置で適用することが可能である。
【０１０５】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１０６】
【図１】本実施形態に係る通信システムの全体構成を示す概略図である。
【図２】（ａ）本実施形態に係るデータフレームフォーマットを示す図である。（ｂ）本実施形態に係るプロトコルスタックを示す図である。
【図３】本実施形態に係る無線制御装置の構成を示す機能ブロック図である。
【図４】本実施形態に係るパラメータテーブルを示す図である。
【図５】本実施形態に係る無線制御装置から送信されるデータを示すイメージ図である。
【図６】本実施形態に係るパラメータ判定テーブルを示す図である。
【図７】本実施形態に係る無線制御装置における受信データを示すイメージ図である。
【図８】本実施形態に係る基地局の構成を示す機能ブロック図である。
【図９】本実施形態に係るパラメータテーブルを示す図である。
【図１０】本実施形態に係る無線制御装置の動作を示すフローチャートである。
【図１１】本実施形態に係る送信制御処理の動作を示すフローチャートである。
【図１２】本実施形態に係る受信監視制御処理の動作を示すフローチャートである。
【図１３】本実施形態に係る受信監視制御処理の動作を示すフローチャートである。
【図１４】従来技術に係る無線制御装置が、基地局から受信したデータを交換機へ送信するイメージを示した図である。
【図１５】本実施形態に係る無線制御装置が、基地局から受信したデータを交換機へ送信するイメージを示した図である。
【符号の説明】
【０１０７】
ΔＴｐ…障害検出期間、ΔＴｒ…予測受信期間、ΔＴｓ…送信周期
Ｃ１１０乃至Ｃ１３０…無線範囲、ＱＳｈ…閾値、Ｓ１００乃至Ｓ１５０…ステップ、Ｓ１４０１乃至Ｓ１４０４…ステップ、Ｓ１５０１乃至Ｓ１５０５…ステップ、Ｓ１５１１乃至Ｓ１５１６…ステップ、Ｔ１…パラメータテーブル、Ｔ２…パラメータ判定テーブル、Ｔ３…パラメータテーブル、Ｔｐ…障害検出期間、ＵＬ＃１乃至６…下りデータ、ＤＬ＃１乃至６…上りデータ、１０…移動局、１１乃至１３…データ、２０…データ、５１乃至５３…伝送路、１１０乃至１３０…基地局、１１１…パラメータ記憶部、１１２…ＲＮＣ側通信処理部、１１３…通信品質取得部、１１４…送受信パラメータ設定部、１１５…データ監視部、１１６…障害検出部、１１７…ＭＳ側通信処理部
２００…無線制御装置、２１０…パラメータ記憶部、２２０…ＢＳ側通信処理部、２３０…通信品質取得部、２４０…送受信パラメータ設定部、２５０…データ監視部、２６０…障害検出部、２７０…合成・分配処理部、２８０…ＭＳＣ側通信処理部、３００…交換機
【図１】
0004486619.tif 000002
【図２】
0004486619.tif 000003
【図３】
0004486619.tif 000004
【図４】
0004486619.tif 000005
【図５】
0004486619.tif 000006
【図６】
0004486619.tif 000007
【図７】
0004486619.tif 000008
【図８】
0004486619.tif 000009
【図９】
0004486619.tif 000010
【図１０】
0004486619.tif 000011
【図１１】
0004486619.tif 000012
【図１２】
0004486619.tif 000013
【図１３】
0004486619.tif 000014
【図１４】
0004486619.tif 000015
【図１５】
0004486619.tif 000016